(57)【要約】      （修正有）【課題】ふくらはぎの疲労をより緩和することが可能なサポートテープを提供する。【解決手段】サポートテープ１０は、粘着面を有するテープ本体２０を備える。該テープ本体は、ふくらはぎの少なくとも一部を包囲するように貼られる主部２３と、二つの帯部２１とを備える。各帯部は、主部２３と接続し、該主部と交差する方向に延び、且つ下腿の長手方向に沿って貼られる。【選択図】図１
0003182460.tif 000002
【実用新案登録請求の範囲】
【請求項１】
粘着面を有するテープ本体を備えるサポートテープであって、
前記テープ本体が、
ふくらはぎの少なくとも一部を包囲するように貼られる主部と、
それぞれが前記主部と接続し、該主部と交差する方向に延び、且つ下腿の長手方向に沿って貼られる、二つの帯部と
を備える、
サポートテープ。
【請求項２】
前記主部が、一方の帯部から延びる第１の主部と、他方の帯部から延びる第２の主部とを有する、
請求項１に記載のサポートテープ。
【請求項３】
前記第１の主部及び前記第２の主部が翼状である、
請求項２に記載のサポートテープ。
【請求項４】
前記第１の主部及び前記第２の主部が、切り離し可能な状態で繋がっている、
請求項２又は３に記載のサポートテープ。
【請求項５】
前記主部が一方の前記帯部から延びて他方の前記帯部に接続している、
請求項１に記載のサポートテープ。
【請求項６】
前記二つの帯部の一端において該二つの帯部を接続する横断部を更に備える、
請求項１〜５のいずれか一項に記載のサポートテープ。
【請求項７】
前記横断部の外縁が波形である、
請求項６に記載のサポートテープ。
【請求項８】
前記帯部の一端において、該帯部と略直交するように接続する水平部を更に備える、
請求項１〜７のいずれか一項に記載のサポートテープ。
【請求項９】
前記帯部の長手方向に沿った前記テープ本体の伸張性の方が、該帯部の幅方向に沿った該テープ本体の伸張性より高い、
請求項１〜８のいずれか一項に記載のサポートテープ。
【請求項１０】
前記粘着面を保護するシートを更に備え、
前記シートが、前記帯部と前記主部とを分けるように形成された切れ目を有する、
請求項１〜９のいずれか一項に記載のサポートテープ。
【請求項１１】
前記シートが、前記主部の先端付近に形成された切れ目を更に有する、
請求項１０に記載のサポートテープ。
【請求項１２】
前記粘着面を保護するシートを更に備え、
前記シートが、前記帯部と前記主部とを分けるように形成された切れ目と、前記帯部と前記横断部とを分けるように形成された切れ目とを有する、
請求項６又は７に記載のサポートテープ。
【請求項１３】
前記シートが、前記帯部と前記横断部とを分けるように形成された前記切れ目の内側端部から前記横断部の幅方向に沿って延びるように形成された切れ目を更に有する、
請求項１２に記載のサポートテープ。
【請求項１４】
前記粘着面を保護するシートを更に備え、
前記シートが、前記帯部と前記主部とを分けるように形成された切れ目と、前記帯部と前記水平部とを分けるように形成された切れ目とを有する、
請求項８に記載のサポートテープ。
【請求項１５】
前記シートが、前記水平部の先端付近に形成された切れ目を更に有する、
請求項１４に記載のサポートテープ。
【請求項１６】
前記シートに、各切れ目に沿って線が印刷された、
請求項１０〜１５の何れか一項に記載のサポートテープ。
【考案の詳細な説明】
【技術分野】
【０００１】
本考案の一形態はサポートテープに関する。
【背景技術】
【０００２】
従来から、ふくらはぎをサポートするテープが知られている。例えば、下記特許文献１には、伸縮する帯状材料により形成され、裏面に粘着剤が塗布されている粘着式のふくらはぎ添え帯が知られている。
【先行技術文献】
【特許文献】
【０００３】
【特許文献１】意匠登録第１３６４６６５号公報
【考案の概要】
【考案が解決しようとする課題】
【０００４】
上記添え帯により上下方向の腓腹筋の振動が抑制される。しかしながら、腓腹筋の振動方向は一方向に限られないので、上記添え帯だけでは腓腹筋の振動を十分に抑えられず、その結果、ふくらはぎの疲労を緩和するには限界がある。そのため、ふくらはぎの疲労をより緩和することが可能なサポートテープが望まれている。
【課題を解決するための手段】
【０００５】
本考案の一形態に係るサポートテープは、粘着面を有するテープ本体を備えるサポートテープであって、テープ本体が、ふくらはぎの少なくとも一部を包囲するように貼られる主部と、それぞれが主部と接続し、該主部と交差する方向に延び、且つ下腿の長手方向に沿って貼られる、二つの帯部とを備える。
【０００６】
このような形態によれば、ふくらはぎを包囲するように主部が貼られるので、腓腹筋の左右方向の振動を抑制することができる。また、この主部は、下腿の長手方向に沿って下腿骨と腓腹筋との境界部分を跨ぐように貼られるので、腓腹筋が下腿骨に保持され安定する。また、帯部は筋肉の少ない下腿骨部分を覆うように貼られるため、サポートテープが下腿に対して固定される。さらに、帯部は主部と接続しているため、主部の上下方向の動きが帯部によって制限され、その結果、腓腹筋の上下方向の振動も抑制することができる。このように複数の方向において腓腹筋の振動が抑制されるので、ふくらはぎの疲労をより緩和することができる。
【０００７】
別の形態に係るサポートテープでは、主部が、一方の帯部から延びる第１の主部と、他方の帯部から延びる第２の主部とを有してもよい。
【０００８】
さらに別の形態に係るサポートテープでは、第１の主部及び第２の主部が翼状であってもよい。
【０００９】
さらに別の形態に係るサポートテープでは、第１の主部及び第２の主部が、切り離し可能な状態で繋がっていてもよい。
【００１０】
さらに別の形態に係るサポートテープでは、主部が一方の帯部から延びて他方の帯部に接続していてもよい。
【００１１】
さらに別の形態に係るサポートテープでは、二つの帯部の一端において該二つの帯部を接続する横断部を更に備えてもよい。
【００１２】
さらに別の形態に係るサポートテープでは、横断部の外縁が波形であってもよい。
【００１３】
さらに別の形態に係るサポートテープでは、帯部の一端において、該帯部と略直交するように接続する水平部を更に備えてもよい。
【００１４】
さらに別の形態に係るサポートテープでは、帯部の長手方向に沿ったテープ本体の伸張性の方が、該帯部の幅方向に沿った該テープ本体の伸張性より高くてもよい。
【００１５】
さらに別の形態に係るサポートテープでは、粘着面を保護するシートを更に備え、シートが、帯部と主部とを分けるように形成された切れ目を有してもよい。
【００１６】
さらに別の形態に係るサポートテープでは、シートが、主部の先端付近に形成された切れ目を更に有してもよい。
【００１７】
さらに別の形態に係るサポートテープでは、粘着面を保護するシートを更に備え、シートが、帯部と主部とを分けるように形成された切れ目と、帯部と横断部とを分けるように形成された切れ目とを有してもよい。
【００１８】
さらに別の形態に係るサポートテープでは、シートが、帯部と横断部とを分けるように形成された切れ目の内側端部から横断部の幅方向に沿って延びるように形成された切れ目を更に有してもよい。
【００１９】
さらに別の形態に係るサポートテープでは、粘着面を保護するシートを更に備え、シートが、帯部と主部とを分けるように形成された切れ目と、帯部と水平部とを分けるように形成された切れ目とを有してもよい。
【００２０】
さらに別の形態に係るサポートテープでは、水平部の先端付近に形成された切れ目を更に有してもよい。
【００２１】
さらに別の形態に係るサポートテープでは、シートに、各切れ目に沿って線が印刷されてもよい。
【考案の効果】
【００２２】
本考案の一側面によれば、ふくらはぎの疲労をより緩和することが可能なサポートテープを提供することができる。
【図面の簡単な説明】
【００２３】
【図１】実施形態に係るサポートテープの正面図である。
【図２】図１に示すサポートテープの背面図である。
【図３】切れ目上に太線が印刷された状態を示す、サポートテープの背面図である。
【図４】図１に示すサポートテープが貼られた状態を示す図である。
【図５】サポートテープの一変形例を示す正面図である。
【図６】サポートテープの他の変形例を示す正面図である。
【図７】サポートテープの他の変形例を示す正面図である。
【図８】サポートテープの他の変形例を示す正面図である。
【図９】サポートテープの他の変形例を示す正面図である。
【考案を実施するための形態】
【００２４】
以下、添付図面を参照しながら本考案の実施形態を詳細に説明する。なお、図面の説明において同一又は同等の要素には同一の符号を付し、重複する説明を省略する。
【００２５】
まず、図１〜３を参照しながら、実施形態に係るサポートテープ１０の構成を説明する。図１はサポートテープ１０の正面図である。図２，３はサポートテープの背面図であり、図３は切れ目状の太線を更に示すものである。
【００２６】
本明細書では、正面図（図１）において、開いている方をサポートテープ１０の上側（貼付時における膝側）と定義し、閉じている方をサポートテープの下側（貼付時における足首側）と定義する。
【００２７】
サポートテープ１０は、人の腓腹筋を支持するためのテープであり、ふくらはぎの疲労を緩和することを目的に用いられる。このサポートテープ１０はテープ本体２０及び剥離紙３０による二層構造を成している。
【００２８】
テープ本体２０は、樹脂含浸処理が施された織布の片面に粘着剤が塗布されることで形成される。例えば、綿とウレタンとの混紡により作製された織布にパラフィン系の樹脂を含浸させ、当該織布の片面にアクリル系、シリコン系、又はゴム系の粘着剤を塗布することでテープ本体２０を作製することができる。もっとも、テープ本体２０を構成する織布、樹脂、及び粘着剤はこれらに限定されず、それぞれにおいて任意の材料を用いてよい。テープ本体２０は、上下方向（下腿の長手方向）に沿って伸びやすく、幅方向（下腿の横方向）に沿って伸びにくいように加工されている。すなわち、テープ本体２０の上下方向における伸張性の方がその幅方向の伸張性よりも高い。
【００２９】
剥離紙３０は、テープ本体２０の粘着面を保護するために当該粘着面上に貼られるシートであり、この剥離紙３０にはシリコン処理が施されている。なお、粘着面を保護するために別の部材を用いてもよく、例えば剥離処理されたフィルムを剥離紙３０に代えて採用してもよい。
【００３０】
テープ本体２０と剥離紙３０とは全体の形状が同じであるので、以下ではテープ本体２０の形状について説明する。図１に示すように、テープ本体２０は全体として、上部が開き下部が閉じたＵ字状を成している。テープ本体２０は、細長い二つの帯部２１と、この二つの帯部２１をその下端において接続する横断部２２と、それぞれが帯部２１の途中から側方に突き出た二つの主部２３と、それぞれが帯部２１の上端と接続する二つの水平部２４とを備える。
【００３１】
帯部２１は下腿の左右にその長手方向に沿って貼られる。帯部２１の長さは下腿（膝下からアキレス腱上部までの範囲）の一般的な長さを考慮して任意の基準により定められる。
【００３２】
横断部２２は、テープ本体２０のＵ字形状の底の部分に相当する。この横断部２２は足首の上方を覆うように貼られる部分である。横断部２２の外縁は、くるぶしを避けるように形成された凹み２２ａとアキレス腱及び踵を避けるように形成された凹み２２ｂとを有しており、したがって、その外縁は全体として波形を呈している。
【００３３】
各主部２３は、帯部２１からテープ本体２０の内側に向けて延びている。したがって、一対の主部（第１の主部及び第２の主部）２３は互いに向き合うように配置されていると言える。主部２３は先端に向かって窄んでおり、その先端は上方を向いているので、主部２３は翼状を呈しているとも言える。各主部２３はふくらはぎの少なくとも一部を包囲するように貼られる。
【００３４】
水平部２４は細長形状であり、帯部２１と略直交するようにその帯部２１と繋がっている。本実施形態では、図１に示すように水平部２４及び帯部２１から成る領域が略Ｔ字状を呈しているが、この領域は略Ｌ字状であってもよい。水平部２４は膝下において下腿の横方向に沿って貼られる。
【００３５】
次に剥離紙３０について説明する。上述したように剥離紙３０の全体形状はテープ本体２０と同じである。図２に示すように、剥離紙３０には、使用者の剥離作業を容易にするためにいくつかの切れ目が形成される。
【００３６】
各帯部２１と横断部２２との境界付近には切れ目４１が形成されている。横断部２２内においては、各切れ目４１の内側端部から最寄りの凹み２２ａにかけて切れ目４２が形成されている。この切れ目４２は、切れ目４１の内側端部から横断部２２の幅方向に沿って延びるように形成された切れ目であるとも言える。帯部２１と主部２３との境界付近には切れ目４３が形成されている。各主部２３の先端付近には、該主部２３の幅方向に沿って切れ目４４が形成されている。帯部２１と水平部２４との境界付近には切れ目４５が形成されている。各水平部２４においては、内側端部付近に切れ目４６が形成され、外側端部付近に切れ目４７が形成されている。切れ目４６，４７はいずれも、対応する端部の外縁と略平行に形成されている。
【００３７】
これらの切れ目４１〜４７によって剥離紙３０は領域３１〜３８に分けられる。領域３１は二つの切れ目４２により区画され、横断部２２を保護する。二つの領域３２はそれぞれ切れ目４１，４２により区画され、横断部２２を保護する。二つの領域３３はそれぞれ切れ目４１，４３，４５により区画され、帯部２１を保護する。二つの領域３４はそれぞれ切れ目４３，４４により区画され、主部２３を保護する。二つの領域３５はそれぞれ切れ目４４により区画され、主部２３の先端付近を保護する。二つの領域３６はそれぞれ切れ目４５〜４７により区画され、水平部２４を保護する。二つの領域３７はそれぞれ切れ目４６により区画され、水平部２４の内側端部付近を保護する。二つの領域３８はそれぞれ切れ目４７により区画され、水平部２４の外側端部付近を保護する。
【００３８】
図３に示すように、剥離紙３０には各切れ目に沿って太線５０が印刷されているので、使用者は切れ目の位置を簡単に知ることができる。
【００３９】
上述したサポートテープ１０は、加工された織布の粘着面の全体に剥離紙を貼り付けて一枚のシートを作製し、続いて、太線５０などをその剥離紙に印刷し、続いてそのシートをダイカット（ｄｉｅ  ｃｕｔ）することで作製される。各切れ目４１〜４７はその裁断時にキスカット（ｋｉｓｓ  ｃｕｔ）により形成される。
【００４０】
次に、図４をさらに用いて、サポートテープ１０の使用方法を説明する。図４は、サポートテープ１０が脚Ｆに貼られた状態を示す図である。
【００４１】
使用者は剥離紙３０を部分的に剥がしてテープ本体２０の粘着面の一部を露出させ、その露出部分を適用部分に貼っていく。一例として、使用者はまず剥離紙３０の領域３１を剥がして横断部２２の中央部分を露出させ、アキレス腱の上部を下腿の横方向に沿って覆うようにその露出部分を貼る。
【００４２】
続いて、使用者はサポートテープ１０の左半分および右半分のうちの一方を貼り、その後に他方を貼る。具体的には、使用者は一方の領域３２を剥がして横断部２２の一端部を露出させ、くるぶしの上の位置にその露出部分を貼る。続いて、使用者は一方の領域３３を剥がし、粘着面が露出した帯部２１を水平部２４を持って引っ張りながらその露出部分を下腿の長手方向に沿って貼る。続いて、使用者は領域３６を剥がして水平部２４を露出させ、その露出部分を貼る。続いて、使用者は領域３７，３８を剥がして露出部分を皮膚に貼る。続いて、使用者は領域３４を剥がし、粘着面が露出した主部２３を領域３５を持って斜め上方に引っ張りながら、その露出部分をふくらはぎに貼る。そして、使用者はその領域３５を剥がして露出部分を皮膚に貼る。これにより、サポートテープ１０の左半分および右半分のうちの一方が下腿に貼られる。使用者は、サポートテープ１０の残り半分についても上記の手順で貼る。
【００４３】
テープ本体２０は上下方向に伸びやすいので、使用者は帯部２１及び主部２３のそれぞれを簡単に伸ばしながら貼ることができる。
【００４４】
以上の手順により、図４に示すようにサポートテープ１０が使用者の下腿Ｆに貼られる。なお、各部を貼り付ける順序は上記に限定されるものではなく、別の順序でサポートテープ１０が下腿に貼られてもよい。
【００４５】
以上説明したように、本実施形態によれば、ふくらはぎを包囲するように主部２３が貼られるので、腓腹筋の左右方向の振動を抑制することができる。また、この主部２３は、下腿の長手方向に沿って貼られる帯部２１と接続しているので、主部２３の上下方向の動きが帯部２１によって制限され、その結果、腓腹筋の上下方向の振動も抑制することができる。
【００４６】
さらに、サポートテープ１０はＵ字形状を呈しており、アキレス腱及びくるぶしの箇所に沿ってサポートテープ１０を貼り付けることが可能となるので、使用者はサポートテープ１０を脚に貼り付ける際の位置決めを容易に行うことができる。これにより、図４に示すように帯部２１が適切な位置に貼付され、下腿骨と腓腹筋との境界部Ｌを跨いでサポートテープ１０が貼付されるため、腓腹筋の振動がより一層抑制される。
【００４７】
加えて、本実施形態では主部２３が斜め上方に向くように形成されているので、主部２３自体により腓腹筋の左右及び上下の両方向の振動を抑制することができる。さらに、主部２３が先端に向かって窄んでおり、その先端が上方を向いているため、腓腹筋の内葉紡隆部及び外葉紡隆部を支持することができる。このため、腓腹筋の振動が抑制される。
【００４８】
このように複数の方向において腓腹筋の振動が抑制されるので、ふくらはぎの疲労をより緩和することができる。
【００４９】
また、本実施形態では、帯部２１と交差する横断部２２及び水平部２４によりテープ本体２０の貼付面積が広がるので、テープ本体２０を下腿により確実に貼り付けることができる。
【００５０】
以上、本考案をその実施形態に基づいて詳細に説明した。しかし、本考案は上記実施形態に限定されるものではない。本考案は、その要旨を逸脱しない範囲で様々な変形が可能である。
【００５１】
複数の方向において腓腹筋の振動を抑制できるのであれば、サポートテープ（テープ本体）の形状は上記実施形態に限定されない。
【００５２】
例えば、図５に示すサポートテープ１０Ａ（テープ本体２０Ａ）のように、一対の主部（第１の主部及び第２の主部）２３がその端部において、切り離し可能な状態で互いに繋がっていてもよい。このサポートテープ１０Ａを使う際には、使用者は切取線２５に沿って一対の主部２３Ａを切り離した後に、上記実施形態と同様の手順でテープ本体２０Ａを脚に貼る。
【００５３】
あるいは、図６に示すように、帯部２１及び主部２３のみから成る一対のテープをサポートテープ１０Ｂ（テープ本体２０Ｂ）として用いてもよい。あるいは、図７に示すサポートテー１０Ｃ（テープ本体２０Ｃ）のように水平部２４のみを省略してもよいし、図８に示すサポートテープ１０Ｄ（テープ本体２０Ｄ）のように横断部２２のみを省略してもよい。
【００５４】
ふくらはぎに貼られる主部の形状は上記実施形態、及び図５に示す変形例に限定されない。例えば、図９に示すサポートテープ１０Ｅ（テープ本体２０Ｅ）は、貼付時においても二つの帯部２１を接続する一つの主部２６を備える。このサポートテープ１０Ｅから横断部２２及び／又は水平部２４を省略したサポートテープも本考案の範囲に含まれる。また、一対の又は一つの主部の形状は翼状に限定されず、矩形状（帯状）であってもよい。さらに、一対の又は一つの主部は斜め上方でなく、帯部２１の長手方向と直交する方向に延びていてもよい。
【００５５】
上記実施形態ではテープ本体２０は二つの水平部２４を備えているが、これらの水平部２４が繋がっていてもよい。
【符号の説明】
【００５６】
１０，１０Ａ〜１０Ｅ…サポートテープ、２０，２０Ａ〜２０Ｅ…テープ本体、２１…帯部、２２…横断部、２３，２３Ａ，２６…主部、２４…水平部、２５…切取線、３０…剥離紙（シート）、４１〜４７…切れ目、５０…太線。
【図１】
0003182460.tif 000003
【図２】
0003182460.tif 000004
【図４】
0003182460.tif 000005
【図５】
0003182460.tif 000006
【図６】
0003182460.tif 000007
【図７】
0003182460.tif 000008
【図８】
0003182460.tif 000009
【図９】
0003182460.tif 000010
【図３】
0003182460.tif 000011